(57)【要約】【課題】  口と鼻を覆う衛生用品としての簡易マスクであって、眼鏡を掛けていても、レンズが曇ることのないマスクを提供すること。【解決手段】  複数枚の通気性被膜を重ね合わせ適所を溶着し、且つ左右両側に耳掛け紐を設けたマスク本体の上部に、上下一対の水平溶着線を設け、この水平溶着線間に横長の変形維持部材を内設すると共に、上側の水平溶着線上に眼鏡による押さえ部を形成することにより、口や鼻からの息が眼鏡の裏側へ上昇するのを防ぐ。また上側の水平溶着線の中央部からマスク本体における左右の上側角部に亘る傾斜溶着線を形成することにより、押さえ部の顔面への密着性を良好にする。【選択図】      図１
2005224481.tif 000002
【特許請求の範囲】
【請求項１】
複数枚の通気性被膜を重ね合わせて適所を溶着し、且つ左右両側に耳掛け紐を設けたマスク本体の上部に、上下一対の水平溶着線を設け、この水平溶着線間に横長の変形維持部材を内設すると共に、上側の水平溶着線上に眼鏡による押さえ部を形成したことを特徴とするマスク。
【請求項２】
上側の水平溶着線の中央部からマスク本体における左右の上側角部に亘る傾斜溶着線を形成したことを特徴とする請求項１記載のマスク。
【発明の詳細な説明】
【技術分野】
【０００１】
本発明は、口と鼻を覆う衛生用品としての簡易マスクに関するものである。
【背景技術】
【０００２】
歯科医、外科医やクリーンルーム内での作業者は、複数枚の不織布を重ねた通気性素材により形成された簡易マスクを使用している。このマスクは、その上縁と頬との間に隙間を生じ易いので、眼鏡着用者の場合は、この隙間を通過した湿った空気がレンズの裏面に付着し曇ってしまうことがあった。
【０００３】
このような従来のマスクの欠点を解消するために、マスク本体の上縁に被膜状帯体を形成し、この被膜状帯体を眼鏡フレームの下端とかレンズの下端で押さえることにより、息によるレンズの曇り防止を図ったマスクが開発された（特開２００１−５６５号公報参照）。しかし、上記被膜状帯体は、シリコン樹脂やポリエチレン樹脂、塩化ビニール樹脂等の被膜状の素材よりなるため、たとえ軟質性のものであっても、頬や目の縁に馴染み難く、違和感や不快感を生ずる欠点があった。
【特許文献１】特開２００１−５６５号公報
【発明の開示】
【発明が解決しようとする課題】
【０００４】
本発明は、口と鼻を覆う衛生用品としての簡易マスクであって、眼鏡を掛けていても、レンズが曇ることのないマスクを提供することを目的としている。
【課題を解決するための手段】
【０００５】
上記の目的を達成するために、請求項１の発明は、複数枚の通気性被膜を重ね合わせ適所を溶着し、且つ左右両側に耳掛け紐を設けたマスク本体の上部に、上下一対の水平溶着線を設け、この水平溶着線間に横長の変形維持部材を内設すると共に、上側の水平溶着線上に眼鏡による押さえ部を形成したことを特徴としている。
【０００６】
請求項２の発明は、上側の水平溶着線の中央部からマスク本体における左右の上側角部に亘る傾斜溶着線を形成したことを特徴としている。
【０００７】
上記請求項１のマスクで口や鼻を覆い、変形維持部材を鼻や頬の形状に馴染むように押圧し変形させた後、眼鏡を掛けた場合、押さえ部は眼鏡のフレームやレンズの下縁、及び鼻パッドで抑えられて顔面に密着する。そのため、口や鼻から吐き出される息は、通気性被膜よりなるマスク本体を通過し、左右両側及び下端から外部に排出されるが、顔面と眼鏡による押さえ部材との間を上昇しようとする息は、押さえ部の顔面への密着、及び変形維持部材の顔面への密着により上昇を阻止され、レンズの曇り現象が阻止される。
【０００８】
請求項２のマスクは、上記請求項１の場合と同様に、変形維持部材と押さえ部の顔面への押圧により、レンズの曇りが阻止されると共に、やや硬度を増した傾斜溶着線により、押さえ部の顔面からの浮き上がりが阻止される。そのため、レンズの曇り現象が更に確実に阻止されるのである。また眼鏡の非使用者が使用する場合、上記傾斜溶着線の上部に沿って押さえ部を切り、従来のマスクと同様に使用するのである。
【発明の効果】
【０００９】
本発明に係る請求項１及び２のマスクは、マスク本体の上部に設けた変形維持部材と、その上側に設けた眼鏡による押さえ部とにより、息の上昇が二重に阻止されるため、眼鏡の曇りを防止することができる。
【００１０】
また、押さえ部材は、マスク本体と同じ素材により形成されているため、使用時における違和感や不快感を生ずることがない。
【００１１】
請求項２の発明にあっては、適度の硬さを有する傾斜溶着線により、眼鏡により押さえられていない部分の顔面からの浮き上がりが阻止されるため、レンズの曇り現象を一層確実に阻止することができる。また傾斜溶着線の上部に沿って押さえ部を切り取るときは、眼鏡の非使用者は、従来のマスクと同様に使用することができる。
【発明を実施するための最良の形態】
【００１２】
以下、図１〜図３を参照して本発明の実施形態を詳述する。図１はマスクの正面図であり、図２は同上マスクの要部を示す縦断面図であり、図３は同上マスクの使用状態を示す斜視図である。
【００１３】
図中の符号Ａは不織布製のマスク本体であり、縦長の不織布を矩形状に折り畳み、その端縁を熱圧着等による左右及び下端の溶着線１により、重なり合った不織布を溶着し、且つ左右両側に耳掛け部２の両端を固定している。
【００１４】
符号３はマスク本体Ａの上端から約２ｃｍ下がった位置の重なり合った不織布を、数ｍｍの間隔を置いて溶着した上下の水平溶着線であり、この水平溶着線３，３間に、プラスチック製の細長いテープに金属線を添設してなる変形維持部材４（プラスチックのみの場合もある）を内設している。またマスク本体Ａの上部、即ち上側の水平溶着線３より上部には、眼鏡による押さえ部５を形成している。この押さえ部５には、上側の水平溶着線３の中央部からマスク本体Ａにおける左右の上側角部に亘る傾斜溶着線６を形成し、押さえ部５における重なり合った不織布を溶着している。
【００１５】
上記マスク本体Ａにおける表裏の不織布間に、通気性心材を介在することもある。尚、符号７はマスク本体Ａに形成した蛇腹状折り曲げ部であり、８は眼鏡、９は眼鏡の鼻パッド、１０は同フレーム、１１は同レンズである。
【００１６】
図３に示すように、上記マスクを着用し、変形維持部材４を顔面に添って変形させると共に、押さえ部５により目の下側を覆って眼鏡８を掛けるときは、眼鏡８により押さえ部５の目頭部分が鼻パッド９により押さえられ、押さえ部５が眼鏡８のフレーム１０とかレンズ１１により押さえられ、顔面に密着するため、変形維持部材４の顔面への密着と相俟って、レンズ１１の裏側への息の上昇は阻止され、レンズ１１の曇りが防止されるのである。
【００１７】
上記の実施形態にあっては、押さえ部７に左右対称の傾斜溶着線６，６を形成しているが、この傾斜溶着線６，６により、押さえ部５は顔面に馴染み易くなり、隙間を生ずることがない。また眼鏡８使用しない場合は、上記傾斜溶着線６，６に沿って押さえ部５を切り取って使用することもある。
【図面の簡単な説明】
【００１８】
【図１】本発明に係るマスクの実施の形態を示す正面図である。
【図２】同上実施形態の要部を示す縦断面図である。
【図３】同上実施形態の使用状態を示す側面図である。
【符号の説明】
【００１９】
Ａ        マスク本体
１        溶着線
２        耳掛け部
３        水平溶着線
４        変形維持部材
５        押さえ部
６        傾斜溶着線
７        蛇腹状折り曲げ部
８        眼  鏡
９        鼻パット
１０        フレーム
１１        レンズ
【図１】
2005224481.tif 000003
【図２】
2005224481.tif 000004
【図３】
2005224481.tif 000005